(57)【要約】　　　（修正有）【課題】幼児等がビデオデッキのビデオカセット挿入口から異物等を押し込むのを防止したビデオカセット挿入口のロックカバーを提供する。【解決手段】ビデオデッキのビデオカセット挿入口２を画成する壁に倣って形成されたガイド枠１１と、ビデオカセット挿入口２の開口を覆う板状の蓋板１２とを備え、ガイド枠１１の上面に爪２２を出没自在に配設するとともに、蓋板１２の前面に爪２２を作動させる第１の爪操作手段を配設し、ガイド枠１１をビデオカセット挿入口１２に挿入させ、爪２２をガイド枠１１から突出させて、爪２２をビデオカセット挿入口１２の開口上縁部に係止させ、第１の爪操作手段を操作することによって爪２２をガイド枠１１に没入させてビデオカセット挿入口１２から引き出せるようにした。【選択図】　　　　図１
2004079008.tif 000002
【特許請求の範囲】
【請求項１】
ビデオデッキのビデオカセット挿入口を画成する壁に倣って形成されたガイド枠と、ビデオカセット挿入口の開口を覆う板状の蓋板とを備え、前記ガイド枠の上面に爪を出没自在に配設するとともに、前記蓋板の前面に前記爪を作動させる第１の爪操作手段を配設し、前記ガイド枠を前記ビデオカセット挿入口に挿入させ、前記爪を前記ガイド枠から突出させて、該爪を前記ビデオカセット挿入口の開口上縁部に係止させ、前記第１の爪操作手段を操作することによって前記爪を前記ガイド枠に没入させて前記ビデオカセット挿入口から引き出せるようにしたことを特徴とするビデオカセット挿入口のロックカバー。
【請求項２】
前記爪を第１のスプリングによって突出方向へ付勢するとともに、前記爪にカム面を形成し、前記ガイド枠を前記ビデオカセット挿入口に挿入させるときに、前記カム面を前記ビデオデッキのビデオカセット挿入口の開口上縁に突き当てることによって、前記爪を前記ガイド枠内に没入させるようにしたことを特徴とする請求項１に記載のビデオカセット挿入口のロックカバー。
【請求項３】
前記爪をビデオカセット挿入方向に移動可能に配設し、かつ前記爪を第２のスプリングによって前記蓋板方向に付勢するとともに、前記蓋板の前面に前記爪を押し込む第２の爪操作手段を配設し、前記ガイド枠を前記ビデオカセット挿入口に挿入させるときに、前記第２の爪操作手段によって前記爪を前記ビデオデッキのビデオカセット挿入口の内方へ押し込めるようにしたことを特徴とする請求項１または２に記載のビデオカセット挿入口のロックカバー。
【発明の詳細な説明】
【０００１】
【発明の属する技術分野】
本発明は、ビデオカセット挿入口を覆うロックカバーに関するものである。
【０００２】
【従来の技術】
ビデオデッキでは、ビデオカセット挿入口に蓋を取付けて、内部に塵埃等が侵入するのを防止している。蓋は、ビデオカセット挿入口の開口に回動自在に設置され、スプリングによって閉成方向に付勢されている。そして、この蓋は、ビデオカセットをビデオデッキに装填する際に、ビデオカセットによってスプリングの付勢力に抗して内方へ回動され、ビデオカセット挿入口を開成する。
【０００３】
【発明が解決しようとする課題】
このように、ビデオデッキの蓋は、蓋を押し込むことによってビデオカセット挿入口を開成する構成を採用しているため、幼児等が異物をビデオカセット挿入口に押し込んだ場合に、その異物がビデオデッキ内に入り込む虞がある。異物がビデオデッキ内に入り込んだ場合には、その異物によって内部機構の運動が阻害されたり、電気的な障害を起す虞がある。
【０００４】
本発明はこのような問題点に鑑みて成されたもので、その目的は、幼児等がビデオデッキのビデオカセット挿入口から異物等を押し込むのを防止したビデオカセット挿入口のロックカバーを提供することにある。
【０００５】
【課題を解決するための手段】
上記目的を達成するために、本発明のビデオカセット挿入口のロックカバーでは、ビデオデッキのビデオカセット挿入口を画成する壁に倣って形成されたガイド枠と、ビデオカセット挿入口の開口を覆う板状の蓋板とを備え、前記ガイド枠の上面に爪を出没自在に配設するとともに、前記蓋板の前面に前記爪を作動させる第１の爪操作手段を配設し、前記ガイド枠を前記ビデオカセット挿入口に挿入させ、前記爪を前記ガイド枠から突出させて、該爪を前記ビデオカセット挿入口の開口上縁部に係止させ、前記第１の爪操作手段を操作することによって前記爪を前記ガイド枠に没入させて前記ビデオカセット挿入口から引き出せるようにしたことを特徴としている。
この発明によれば、蓋板と爪とによってビデオデッキのビデオカセット挿入口の開口上縁を挟持する。そして、ロックカバーはビデオデッキに強固に取り付けられ、ビデオカセット挿入口は完全に閉成されるので、幼児がビデオカセット挿入口から異物等を押し込む虞は無くなる。
【０００６】
また、本発明のビデオカセット挿入口のロックカバーでは、上記発明において、前記爪を第１のスプリングによって突出方向へ付勢するとともに、前記爪にカム面を形成し、前記ガイド枠を前記ビデオカセット挿入口に挿入させるときに、前記カム面を前記ビデオデッキのビデオカセット挿入口の開口縁に突き当てることによって、前記爪を前記ガイド枠内に没入させるようにしたことを特徴としている。
この発明によれば、爪が突出している状態でロックカバーをビデオデッキのビデオカセット挿入口に差し込んでも、爪がビデオカセット挿入口の上縁に当接すると、カム面によって第１のスプリングの付勢力に抗して爪が没入方向へ移動される。そして、爪がビデオカセット挿入口の上縁を通過すると、爪は第１のスプリングの付勢力によって再び突出する。
【０００７】
また、本発明のビデオカセット挿入口のロックカバーでは、上記発明において、前記爪をビデオカセット挿入方向に移動可能に配設し、かつ前記爪を第２のスプリングによって前記蓋板方向に付勢するとともに、前記蓋板の前面に前記爪を押し込む第２の爪操作手段を配設し、前記ガイド枠を前記ビデオカセット挿入口に挿入させるときに、前記第２の爪操作手段によって前記爪を前記ビデオデッキのビデオカセット挿入口の内方へ押し込めるようにしたことを特徴としている。この発明によれば、第２の爪操作手段によって第２のスプリングの付勢力に抗して爪をビデオデッキの内方へ押し込むことができる。
【０００８】
【発明の実施の形態】
以下、本発明のビデオカセット挿入口のロックカバーを図面に示した一実施の形態に基づいて説明する。
【０００９】
図１は本発明に係るロックカバーの全体を示した斜視図，図２はそのロックカバーの要部を示した分解斜視図，図３はそのロックカバーの要部断面図，図４はそのロックカバーにおける要部の動作を示した説明図である。
【００１０】
このロックカバーのケース１０は、図１に示したように、ビデオデッキ１のビデオカセット挿入口２内に挿入するガイド枠１１と、ビデオカセット挿入口２を覆う蓋板１２とを備えており、蓋板１２とガイド枠１１の前部が一体に形成されたケース前部１０ａとガイド枠１１の後部を画成するケース後部１０ｂとによって構成されている。
【００１１】
そして、ケース前部１０ａは、図１および図２に示したように、前面に配置された蓋板１２と、ガイド枠１１の天板１３ａ、側板１３ｂ，１３ｂ、底板１３ｃによって後方に開口１４を有する箱状に形成されており、天板１３ａには後方に開放された切欠き１５が形成されている（図１参照）。また、このケース前部１０ａでは、蓋板１２の周縁がガイド枠１１から外方へ突出され、そこにフランジ部１６が構成されている。
【００１２】
また、ケース後部１０ｂは、図１および図２に示したように、天板１７ａ、側板１７ｂ，１７ｂ、底板１７ｃ、背板１７ｄによって前方に開口１８を有する箱状に形成されている。
【００１３】
図２に示したように、蓋板１２には、孔１９が形成され、その孔１９の周囲に該孔を中心とする同心円上に弧状の長孔２０，２０，２１が形成されている。
【００１４】
また、このロックカバーには、該ロックカバーをビデオデッキ１のカセット挿入口２に係止するロック機構が配設されている。
【００１５】
ロック機構は、図２に示したように、周面に爪２２を備えた主体２３と、該主体を操作する把手（第１の爪操作手段）２４およびボタン（第２の爪操作手段）２５とを備えている。
【００１６】
主体２３は、円板状を成しており、中心に前方へ突出する軸２６と後方へ突出するスプリング支持用ピン２７とを備え、後面周縁にスプリング掛け２８を備えている。そして、爪２２の先端部にはカム面２２ａが形成されている。
【００１７】
把手２４は、円筒状を成しており、前方に開口する凹部が形成されている。そして、凹部の底壁中心に孔２９が形成され、その孔２９の周囲に、該孔を中心とする同心円上にボス３０，３０および弧状の長孔３１が形成されている。
【００１８】
ボタン２５は、円板状を成しており、後面中心に軸３２が立設され、該軸の周囲にピン３３が立設されている。
【００１９】
また、ケース前部１０ａを構成する蓋板１２の裏面にはスプリング掛け３４が立設され、ケース後部１０ｂの背板１７ｄの前面にボス３５が立設されている。
【００２０】
このように構成された各要素は、以下のようにして組付けられる。
先ず、把手２４のボス３０，３０をケース前部１０ａの長孔２０，２０に挿通させ、それらのボス３０，３０の先端に形成した雌ねじ３０ａ，３０ａにワッシャ３６，３６を介してねじ３７，３７を締結する。
このようにして組付けられた把手２４は、長孔２０，２０の範囲で回動が許容される。
【００２１】
次いで、ボタン２５の軸３２を把手２４の孔２９およびケース前部１０ａの孔１９に挿通させるとともに、ボタン２５のピン３３を把手２４の長孔３１およびケース前部１０ａの長孔２１に挿通させ、ボタン２５の軸３２の先端に形成した孔３２ａにピン３８を圧入し、該ピン３８を主体２３の軸２６の先端に形成した孔２６ａに圧入させて軸３２，２６を会合させ、接着剤等によって一体化する。このようにして組付けられたボタン２５と主体２３は、長孔２１の範囲内で回動が許容される。この回動範囲は、爪２２がケース前部１０ａの切欠き１５から突出した状態からケース前部１０ａの切欠き１５内に没入した状態までの範囲である。
【００２２】
次いで、主体２３のスプリング掛け２８とケース前部１０ａのスプリング掛け３４に引っ張りコイルスプリング３９を張設する。
このようにして組付けられた主体２３は、スプリング３９によって爪２２が切欠き１５から突出した状態に付勢されている。
【００２３】
次いで、主体２３のピン２７に圧縮コイルスプリング４０を装嵌し、該ピン２７の先端をケース後部１０ｂのボス３５の先端に形成した孔３５ａに挿入させてケース後部１０ｂをケース前部１０ａに会合させ、それらを図示しないねじ等によって互いに結合させる。
このようにして組付けられた主体２３は、図３に示したように、主体２３がスプリング４０によって、図３において左方に付勢される。そして、ボタン２５を右方に押し込むと、主体２３がスプリング４０の付勢力に抗して右方に押し込められ、それに伴って爪２２が蓋板１２のフランジ部１６との間隙を大きくする。
【００２４】
このようにして各要素が組付けられたロックカバーは、図４（ａ）に示したように、スプリング３９の付勢力によって時計方向へ回動され、ピン３３が長孔２１の端部に規制されて、爪２２がガイド枠１０の切欠き１５から突出した状態にある。この状態で、図１に示したように、ガイド枠１０をビデオデッキ１のビデオカセット挿入口２に押し込む。すると、爪２２のカム面２２ａがビデオカセット挿入口２の開口上縁１１ａに突き当たり、なおも押し込むと、カム作用によって爪２２は図４（ａ）において２点鎖線で示したように、切欠き１５内に没入される。そして、図３に示したように、蓋板１２のフランジ部１６がビデオデッキ１の開口上縁１ａに突き当たる。次いで、ボタン２５を押し込むと、爪２２は図３において右方に移動する。そして、爪２２がビデオデッキ１の開口上縁１ａを通過すると、元の状態、即ち切欠き１５から突出した状態になり、スプリング４０の付勢力によって爪２２とフランジ部１６とでビデオデッキ１の開口上縁１ａを挟持し、ロックカバーはビデオデッキ１に係止される。
【００２５】
ロックカバーをビデオデッキ１から取り外す場合には、先ず、把手２４を右方向に回動させる。すると、把手２４の長孔３１は同方向へ回動されるので、図４（ｂ）に示したように、その端部でボタン２５のピン３３を移動させる。その結果、ボタン２５が回動され、該ボタンと一体の主体２３が回動され、爪２２をケース１０の切欠き１５内に没入させる。次いで、ロックカバーを手前に引けば、ロックカバーをビデオデッキ１のビデオカセット挿入口２から取り出すことができる。
【００２６】
なお、上記実施の形態では、爪２２を回動させてケースの切欠き１５に出没させているが、爪２２を直線的に出没させてもよい。
【００２７】
【発明の効果】
本発明のロックカバーでは、蓋板と爪とによってビデオデッキのビデオカセット挿入口の開口縁を挟持するので、ロックカバーがビデオデッキに強固に取付けられてビデオカセット挿入口は完全に閉成されるので、幼児がビデオカセット挿入口から異物等を押し込む虞は無くなる。
また、ビデオデッキのビデオカセット挿入口は、メーカーによって多少の相違がある。即ち、ビデオデッキでは、ビデオカセットをビデオカセット挿入口にスムースに案内するために、ビデオカセット挿入口を画成する底壁は、各ビデオカセット共、開口から連続して配設され、ビデオデッキによっては側壁も開口から連続して配設されているものもある。しかし、いずれのビデオカセット挿入口も、上部は開口の内面に配設したヒンジによって蓋が回動自在に配設されていることから、全てのビデオデッキのビデオカセット挿入口には天井壁は無い。
本発明のビデオカセット挿入口のロックカバーでは、蓋板と爪とによってビデオデッキのビデオカセット挿入口の開口上縁を挟持するので、ビデオデッキの種類に関係なく、全てのビデオデッキに適用できる。
【００２８】
また、本発明のビデオカセット挿入口のロックカバーでは、爪を第１のスプリングによって突出方向へ付勢するとともに、爪にカム面を形成し、ガイド枠をビデオカセット挿入口に挿入させるときに、カム面をビデオデッキのビデオカセット挿入口の開口縁に突き当てることによって、爪をガイド枠内に没入させるようにしているので、爪が突出している状態でロックカバーをビデオデッキのビデオカセット挿入口に差し込んでも、爪がビデオカセット挿入口の上縁に当接すると、カム面によって第１のスプリングの付勢力に抗して爪が没入方向へ移動され、爪がビデオカセット挿入口の上縁を通過すると、爪は第１のスプリングの付勢力によって再び突出する。
したがって、本発明のロックカバーによれば、ロックカバーをビデオカセット挿入口に単に挿入するだけで、ロックカバーをビデオデッキに係止することができ、ロックカバーの装着が極めて簡単である。
【００２９】
また、本発明のビデオカセット挿入口のロックカバーでは、爪をビデオカセット挿入方向に移動可能に配設し、かつ爪を第２のスプリングによって蓋板方向に付勢するとともに、蓋板の前面に爪を押し込む第２の爪操作手段を配設し、ガイド枠をビデオカセット挿入口に挿入させるときに、第２の爪操作手段によって爪をビデオデッキのビデオカセット挿入口の内方へ押し込めるようにしているので、爪を任意の距離だけビデオデッキの内方へ押し込むことができる。
したがって、本発明のロックカバーによれば、挟持しようとするビデオカセット挿入口上縁の厚みが異なっても、全ての厚みに対応ができる。
【図面の簡単な説明】
【図１】本発明に係るロックカバーの全体を示した斜視図である。
【図２】図１に示したロックカバーの要部を示した分解斜視図である。
【図３】図１に示したロックカバーの要部断面図である。
【図４】図１に示したロックカバーにおける要部の動作を示した説明図であり、図４（ａ）は爪が突出している状態を示し、図４（ｂ）は爪を没入させた状態を示している。
【符号の説明】
１　　　ビデオデッキ
１ａ　　　開口上縁
２　　　ビデオカセット挿入口
１０　　　ケース
１０ａ　　　ケース前部
１０ｂ　　　ケース後部
１１　　　ガイド枠
１２　　　蓋板
１３ａ　　　天板
１３ｂ　　　側板
１３ｃ　　　底板
１４　　　開口
１５　　　切欠き
１６　　　フランジ部
１７ａ　　　天板
１７ｂ　　　側板
１７ｃ　　　底板
１７ｄ　　　背板
１８　　　開口
１９　　　孔
２０，２１　　　長孔
２２　　　爪
２２ａ　　　カム面
２３　　　主体
２４　　　把手（第１の爪操作手段）
２５　　　ボタン（第２の爪操作手段）
２６　　　軸
２７　　　スプリング支持用ピン
２８　　　スプリング掛け
２９　　　孔
３０　　　ボス
３１　　　長孔
３２　　　軸
３３　　　ピン
３４　　　スプリング掛け
３５　　　ボス
３６　　　ワッシャ
３７　　　ねじ
３８　　　ピン
３９　　　引っ張りコイルスプリング
４０　　　圧縮コイルスプリング
【図１】
2004079008.tif 000003
【図２】
2004079008.tif 000004
【図３】
2004079008.tif 000005
【図４】
2004079008.tif 000006